(57)【要約】    【課題】居室親機が有する液晶モニタのバックライトと玄関子機が有する補助照明灯の長寿命化及び消費電力の低減化を可能にする。    【解決手段】居室親機２の親機駆動信号発生部２０４は、親機映像処理部２０１にて検出される玄関子機１のカメラ１００にて撮像された映像信号の水平同期信号及び／又は垂直同期信号に同期して発生されるパルス信号によりバックライト制御部２０３を制御して、液晶モニタ２００を背面より照射するためのバックライト２０２を点灯又は消灯させる。また、玄関子機の子機駆動信号発生部１０４は、子機映像処理部１０１にて検出される映像信号の水平同期信号及び／又は垂直同期信号に同期して発生されるパルス信号により照明灯制御部１０３を制御して、玄関の明るさを確保するための補助照明灯１０２を点灯又は消灯させる。  【選択図】図１
2008167174.tif 000002
【特許請求の範囲】
【請求項１】
玄関に設置されカメラ（１００）を有する玄関子機（１）と、住戸内に設置され前記玄関子機のカメラにて撮像された映像信号を出画するための液晶モニタ（２００）を有する居室親機（２）とを備え、
前記居室親機には、前記玄関子機から伝送されてくる映像信号の信号処理を行うための親機映像処理部（２０１)と、前記液晶モニタを背面より照射するためのバックライト（２０２）と、前記バックライトを駆動させるためのバックライト制御部（２０３）と、前記親機映像処理部にて検出される前記映像信号の水平同期信号及び／又は垂直同期信号に同期して発生されるパルス信号により前記バックライト制御部を制御して前記バックライトを点灯又は消灯させるための親機駆動信号発生部（２０４）とを備えたことを特徴とするテレビドアホン装置。
【請求項２】
玄関に設置されカメラ（１００）を有する玄関子機（１）と、住戸内に設置され前記玄関子機のカメラにて撮像された映像信号を出画するための液晶モニタ（２００）を有する居室親機（２）とを備え、
前記玄関子機には、前記カメラにて撮像された映像信号の信号処理を行うための子機映像処理部(１０１)と、前記玄関の明るさを確保するために点灯される補助照明灯（１０２）と、前記補助照明灯を駆動させるための照明灯制御部（１０３）と、前記子機映像処理部にて検出される前記映像信号の水平同期信号及び／又は垂直同期信号に同期して発生されるパルス信号により前記照明灯制御部を制御して前記補助照明灯を点灯又は消灯させるための子機駆動信号発生部（１０４）とを備えたことを特徴とするテレビドアホン装置。
【発明の詳細な説明】
【技術分野】
【０００１】
本発明はテレビドアホン装置に係り、特に、カメラにて撮像された映像信号をモニタに出画させるに必要とされる照明機能と、玄関の明るさを確保するために必要とされる照明機能とを制御することができるテレビドアホン装置に関する。
【背景技術】
【０００２】
従来から、この種のテレビドアホン装置として、火災発生源確認時における居住者の安全性の確保とともに利便性を向上させたテレビセキュリティインターホンシステムが開示されている（例えば、特許文献１を参照。）。
【０００３】
このテレビセキュリティインターホンシステムにおいて、住戸玄関の来訪者が住戸内の居住者を呼び出すためにカメラ付玄関子機４にて適宜に呼出操作を行なうと、テレビモニタ２の電源回路２０が制御されて、モニタ２１と子機電源供給ラインＬ3を介してカメラ付玄関子機４とにそれぞれ直流電圧が投入（給電）される。また、テレビモニタ２の電源回路２０からの直流電圧の投入（給電）により、カメラ付玄関子機４のカメラ（図示せず）は能動となり、当該カメラにて撮像された来訪者の映像がテレビモニタ２に伝送され、電源回路２０からの直流電圧の投入（給電）によりバックライト（図示せず）が点灯されたモニタ２１にて出画される。
【０００４】
【特許文献１】特開２００１−８６４８９号公報（段落番号「００１８」、「００１９」、第１図）
【発明の開示】
【発明が解決しようとする課題】
【０００５】
背景技術に記載した特許文献１のテレビセキュリティインターホンシステムにおいて、テレビモニタ２のモニタ２１は、住戸玄関の来訪者が住戸内の居住者を呼出すためにカメラ付玄関子機４にて適宜に呼出操作を行なわれると、電源回路２０からの直流電圧の投入（給電）によりバックライト（図示せず）が常に点灯されるものである。しかしながら、人間が有する目の特性上、バックライト（図示せず）を常に点灯させる必要性は低く、余剰な電力消費となる虞があり、さらに、バックライト（図示せず）の寿命は、点灯時間の長さに比例して短くなる難点があった。
【０００６】
また、背景技術に記載した特許文献１のテレビセキュリティインターホンシステムに、テレビモニタ２により制御される住戸玄関の周囲近傍の明るさを確保するための照明灯を備えるにあたって、前述の来訪者による呼出操作が夜間時等に行なわれたとすると、この照明灯についても前述のモニタ２１のバックライト（図示せず）と同様、その駆動電源はテレビモニタ２の電源回路２０からの直流電圧で常に点灯されるものである。しかしながら、人間が有する目の特性上、照明灯を常に点灯させる必要性は低く、余剰な電力消費となる虞があり、さらに、照明灯の寿命は、点灯時間の長さに比例して短くなる難点があった。
【０００７】
本発明は、これらの難点を解消するためになされたもので、居室親機が有する液晶モニタのバックライトと玄関子機が有する補助照明灯とを、玄関子機のカメラにて撮像された映像信号の水平同期信号及び／又は垂直同期信号に同期して発生されるパルス信号により点灯又は消灯させ、照明機能の長寿命化及び消費電力の低減化が可能なテレビドアホン装置を提供することを目的としている。
【課題を解決するための手段】
【０００８】
前述の目的を達成するため、本発明の第１の態様であるテレビドアホン装置は、玄関に設置されカメラを有する玄関子機と、住戸内に設置され玄関子機のカメラにて撮像された映像信号を出画するための液晶モニタを有する居室親機とを備えたものである。居室親機には、玄関子機から伝送されてくる映像信号の信号処理を行うための親機映像処理部と、液晶モニタを背面より照射するためのバックライトと、バックライトを駆動させるためのバックライト制御部と、親機映像処理部にて検出される映像信号の水平同期信号及び／又は垂直同期信号に同期して発生されるパルス信号によりバックライト制御部を制御してバックライトを点灯又は消灯させるための親機駆動信号発生部とを備えたものである。
【０００９】
また、本発明の第２の態様であるテレビドアホン装置は、玄関に設置されカメラを有する玄関子機と、住戸内に設置され玄関子機のカメラにて撮像された映像信号を出画するための液晶モニタを有する居室親機とを備えたものである。玄関子機には、カメラにて撮像された映像信号の信号処理を行うための子機映像処理部と、玄関の明るさを確保するために点灯される補助照明灯と、補助照明灯を駆動させるための照明灯制御部と、子機映像処理部にて検出される映像信号の水平同期信号及び／又は垂直同期信号に同期して発生されるパルス信号により照明灯制御部を制御して補助照明灯を点灯又は消灯させるための子機駆動信号発生部とを備えたものである。
【発明の効果】
【００１０】
本発明のテレビドアホン装置によれば、居室親機の親機駆動信号発生部は、親機映像処理部にて検出される玄関子機のカメラにて撮像された映像信号の水平同期信号及び／又は垂直同期信号に同期して発生されるパルス信号によりバックライト制御部を制御して、液晶モニタを背面より照射するためのバックライトを点灯又は消灯させることができる。これにより、バックライトの長寿命化及び消費電力の低減化が可能となる。
【００１１】
また、本発明のテレビドアホン装置によれば、玄関子機の子機駆動信号発生部は、子機映像処理部にて検出されるカメラにて撮像された映像信号の水平同期信号及び／又は垂直同期信号に同期して発生されるパルス信号により照明灯制御部を制御して、玄関の明るさを確保するための補助照明灯を点灯又は消灯させることができる。これにより、補助照明灯の長寿命化及び消費電力の低減化が可能となる。
【発明を実施するための最良の形態】
【００１２】
以下、本発明のテレビドアホン装置を適用した最良の実施の形態例について、図面を参照して説明する。
【００１３】
図１は、本発明の実施例によるテレビドアホン装置の具体的な構成を示すブロックである。このテレビドアホン装置は、玄関に設置される玄関子機１と、住戸内に設置される居室親機２とが伝送路Ｌを経由して接続されて構成されている。
【００１４】
ここで、図１に示す玄関子機１は、当該玄関子機が有する機能として、映像の撮像機能及び撮像された映像の処理機能、照明機能及び当該照明の駆動機能、撮像された映像の伝送機能を示しており、カメラ１００、子機映像処理部１０１、補助照明灯１０２、照明灯制御部１０３、子機駆動信号発生部１０４及びインターフェース部（以下、子機Ｉ／Ｆという。）１０５が備えられている。なお、玄関子機１には、前述の各種機能の他に、通常、玄関に居る人物、例えば、来訪者が住戸内に在室中の居住者を呼び出して通話を成立させる呼出・通話機能を備えることができる（図示せず。）。
【００１５】
この玄関子機１において、カメラ１００は、当該玄関子機が設置される玄関の周囲近傍の映像（前述の来訪者の映像を含む。）を撮像するためのものであり、子機映像処理部１０１は、カメラ１００にて撮像された映像である電気信号の映像信号を信号処理、例えば、ＦＭ変調、増幅等を行うためのものである。なお、カメラ１００としては、例えば、ＣＣＤ、ＣＭＯＳ等の各種の撮像媒体が好適とされる。また、カメラ１００及び子機映像処理部１０１は、図示のような別体ではなく一体化させて設けることもできる。
【００１６】
補助照明灯１０２は、夜間時等において当該玄関子機が設置される玄関の明るさが十分でないとき、その明るさを確保するために点灯されるためのものであり、照明灯制御部１０３は、補助照明灯１０２を駆動させるためのものである。なお、補助照明灯１０２としては、例えば、ＬＥＤが好適とされる。また、補助照明灯１０２及び照明灯制御部１０３は、図示のような別体ではなく一体化させて設けることもできる。
【００１７】
子機駆動信号発生部１０４は、子機映像処理部１０１にて検出される映像信号の水平同期信号及び／又は垂直同期信号に同期して発生されるパルス信号により照明灯制御部１０３を制御して、補助照明灯１０２を点灯又は消灯させるためのものである。
【００１８】
子機Ｉ／Ｆ１０５は、子機映像処理部１０１から伝送路Ｌへの映像信号の伝送ラインを形成するためのものである。
【００１９】
また、図１に示す居室親機２は、当該居室親機が有する機能として、玄関子機１のカメラ１００にて撮像された映像の出画機能及び当該出画させる映像の処理機能、出画に関する照明機能、玄関子機１からの映像信号の伝送機能を示しており、液晶モニタ２００、親機映像処理部２０１、バックライト２０２、バックライト制御部２０３、親機駆動信号発生部２０４及びインターフェース部（以下、親機Ｉ／Ｆという。）２０５が備えられている。なお、居室親機２には、前述の各種機能の他に、通常、来訪者からの呼び出しを報知し、この呼び出しに応答した居住者が通話を成立させる呼出報知・応答通話機能を備えることができる（図示せず。）。
【００２０】
この居室親機２において、液晶モニタ２００は、玄関子機１のカメラ１００にて撮像された映像信号、すなわち、当該玄関子機が設置される玄関の周囲近傍の映像（前述の来訪者の映像を含む。）を出画するためのものであり、親機映像処理部２０１は、液晶モニタ２００に出画させる映像信号を信号処理、例えば、ＦＭ復調、増幅等を行うためのものである。なお、液晶モニタ２００及び親機映像処理部２０１は、図示のような別体ではなく一体化させて設けることもできる。
【００２１】
バックライト２０２は、液晶モニタ２００を背面より照射するためのものであり、バックライト制御部２０３は、バックライト２０２を駆動させるためのものである。なお、バックライト２０２としては、例えば、複数のＬＥＤが好適とされる。また、バックライト２０２及びバックライト制御部２０３は、図示のような別体ではなく一体化させて設けることもできる。
【００２２】
親機駆動信号発生部２０４は、親機映像処理部２０１にて検出される映像信号の水平同期信号及び／又は垂直同期信号に同期して発生されるパルス信号によりバックライト制御部２０３を制御して、バックライト２０２を点灯又は消灯させるためのものである。
【００２３】
親機Ｉ／Ｆ２０５は、伝送路Ｌから親機映像処理部２０１への映像信号の伝送ラインを形成するためのものである。
【００２４】
このように構成された本発明の実施例によるテレビドアホン装置において、以下、具体的な動作について、図１及び図２（ａ）、（ｂ）の各信号波形図をそれぞれ参照して説明する。なお、図２（ａ）は、玄関子機１のカメラ１００にて撮像される映像信号の一例を示しており、図２（ｂ）は、図２（ａ）の映像信号の水平同期信号及び垂直同期信号の一例を示している。
【００２５】
図１に示す玄関子機１のカメラ１００が駆動して映像の撮像を開始すると、電気信号である図２（ａ）に示す映像信号Ｓ1が生成される。また、子機映像処理部１０１は、カメラ１００にて生成された映像信号Ｓ1の図２（ｂ）に示す水平同期信号Ｓ1a及び／又は垂直同期信号Ｓ1bを検出して子機駆動信号発生部１０４に送出するとともに、この映像信号Ｓ1をＦＭ変調、増幅する等、所定の信号処理を行った後、子機Ｉ／Ｆ１０５、伝送路Ｌ、居室親機２の親機Ｉ／Ｆ２０５を経由して親機映像処理部２０１に送出することができる。
【００２６】
ここで、玄関子機１の子機駆動信号発生部１０４は、子機映像処理部１０１にて検出された図２（ｂ）に示す水平同期信号Ｓ1a及び／又は垂直同期信号Ｓ1bに同期して発生されるパルス信号が有するＨ／Ｌのタイミングで照明灯制御部１０３を制御することができる。また、照明灯制御部１０３は、前述のパルス信号のＨ／Ｌのタイミングで補助照明灯１０２を点灯／消灯させて玄関の明るさを確保することにより、補助照明灯１０２の長寿命化及び消費電力の低減化が可能となる。
【００２７】
居室親機２の親機映像処理部２０１は、玄関子機１から伝送されてきた図２（ａ）に示す映像信号Ｓ1についてＦＭ復調、増幅する等、所定の信号処理を行った後、液晶モニタ２００に送出するとともに、映像信号Ｓ1の図２（ｂ）に示す水平同期信号Ｓ1a及び／又は垂直同期信号Ｓ1bを検出して親機駆動信号発生部２０４に送出することができる。
【００２８】
ここで、居室親機２の親機駆動信号発生部２０４は、親機映像処理部２０１にて検出された図２（ｂ）に示す水平同期信号Ｓ1a及び／又は垂直同期信号Ｓ1bに同期して発生されるパルス信号が有するＨ／Ｌのタイミングでバックライト制御部２０３を制御することができる。また、バックライト制御部２０３は、前述のパルス信号のＨ／Ｌのタイミングでバックライト２０２を点灯／消灯させることにより、長寿命化及び消費電力の低減化が可能なバックライト２０２により背面が照射される液晶モニタ２０２に、親機映像処理部２０１を経由して所定の信号処理が行われた映像信号Ｓ1、すなわち、玄関子機１のカメラ１００にて撮像された映像を出画させることができる。
【００２９】
また、玄関子機１のカメラ１００が非能動となる等の理由で、図２（ａ）に示す映像信号Ｓ1の信号伝送が停止され、居室親機２の親機映像処理部２０１にて検出される図２（ｂ）に示す水平同期信号Ｓ1a及び／又は垂直同期信号Ｓ1bの親機駆動信号発生部２０４への送出も停止されると、これを検出した親機駆動信号発生部２０４は、バックライト制御部２０３を制御して、バックライト２０２を消灯させることができる。これにより、映像の出画が行われない液晶モニタ２００を背面より照射することなく、バックライト２０２の長寿命化及び消費電力の低減化が可能となる。
【００３０】
本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００３１】
【図１】図１は、本発明の実施例によるテレビドアホン装置の具体的な構成を示すブロックである。
【図２】図２（ａ）は、本発明の実施例によるテレビドアホン装置において、玄関子機のカメラにて撮像される映像信号の一例を示す信号波形図である。また、図２（ｂ）は、本発明の実施例によるテレビドアホン装置において、図２（ａ）の映像信号の水平同期信号及び垂直同期信号の一例を示す信号波形図である。
【符号の説明】
【００３２】
１……玄関子機
１００……カメラ
１０１……子機映像処理部
１０２……補助照明灯
１０３……照明灯制御部
１０４……子機駆動信号発生部
２……居室親機
２００……液晶モニタ
２０１……親機映像処理部
２０２……バックライト
２０３……バックライト制御部
２０４……親機駆動信号発生部
【図１】
2008167174.tif 000003
【図２】
2008167174.tif 000004